(57)【要約】【課題】  制御ブロックが一過性の読み出しエラーを読み込むことができない場合があり、またＯＰＣサーバが異常状態から復帰する前のデータを誤って使用してしまう可能性があるという課題を解決する。【解決手段】  ＯＰＣサーバの読み出しエラーが発生するとエラー通達フラグをセットしてエラーコードを保存し、また正常に読み出せかつエラー通達フラグがセットされていると正常復帰ペンディングフラグをセットした。これらのフラグとエラーコードは制御ブロックがデータを読み出すとクリアされるようにした。また、ＯＰＣサーバに異常が発生すると全てのデータに対応するＮＲＤＹフラグをセットし、正常に読み出せると、そのデータに対応するＮＲＤＹフラグのみリセットするようにした。制御ブロックは一過性の読み出しエラーを確実に読み出すことができ、かつＯＰＣサーバが正常復帰する前のデータを誤って使用することがなくなる。【選択図】                    図１
2005208699.tif 000002
【特許請求の範囲】
【請求項１】
ＯＰＣサーバを経由して読み込んだデータをデータキャッシュに格納する過程で発生するエラーを処理するエラー情報処理方法において、
読み込みエラーが発生するとエラー通達フラグをセットし、前記読み込みエラーのエラーコードを保存する第１の工程と、
読み込み時にエラーが発生せず、かつ前記エラー通達フラグがセットされているときに正常復帰ペンディングフラグをセットする第２の工程と、
制御ブロックが前記データキャッシュからデータを読み込むときに、前記エラー通達フラグおよび前記正常復帰ペンディングフラグをリセットし、前記保存されたエラーコードをクリアする第３の工程と、
を有することを特徴とするエラー情報処理方法。
【請求項２】
ＯＰＣサーバを経由して読み込んだデータをデータキャッシュに格納する過程で発生するエラーを処理するエラー情報処理方法において、
前記ＯＰＣサーバにエラーが発生したときに、前記データキャッシュに格納されるデータに対応する全てのＮＲＤＹフラグをセットする第１の工程と、
前記ＯＰＣサーバを経由して正常にデータを読み込んだときに、このデータに対応する前記ＮＲＤＹフラグをリセットする第２の工程と、
制御ブロックが前記データキャッシュからデータを読み出すときに、この読み出すデータに対応する前記ＮＲＤＹフラグがセットされているとNot-Readyコードを返し、前記ＮＲＤＹフラグがリセットされていると前記データキャッシュから読み出したデータの値を返す第３の工程と、
を有することを特徴とするエラー情報処理方法。
【請求項３】
前記ＯＰＣサーバにエラーが発生したときに、そのエラーのエラーコードを保存するようにしたことを特徴とする請求項２記載のエラー情報処理方法。
【請求項４】
ＯＰＣサーバを経由して読み込んだデータをデータキャッシュに格納する過程で発生するエラーを処理するエラー情報処理装置において、
前記データキャッシュに格納されるデータに対応して設けられ、エラー通達フラグ、正常復帰ペンディングフラグを内蔵し、エラーコードが格納されるデータ管理情報部と、
前記データキャッシュからデータを読み出す制御ブロックと、
前記ＯＰＣサーバに読み込みエラーが発生したときに、前記エラー通達フラグをセットして前記データ管理情報部に前記読み込みエラーのエラーコードを格納し、
前記ＯＰＣサーバがデータを正常に読み込みかつ前記エラー通達フラグがセットされているときに、前記正常復帰ペンディングフラグをセットし、
前記制御ブロックが前記データキャッシュからデータを読み込んだときに、前記エラー通達フラグと前記正常復帰ペンディングフラグをリセットして、前記エラーコードをクリアするデータ管理情報制御部と、
を有することを特徴とするエラー情報処理装置。
【請求項５】
ＯＰＣサーバを経由して読み込んだデータをデータキャッシュに格納する過程で発生するエラーを処理するエラー情報処理装置において、
前記データキャッシュに格納されるデータに対応して設けられ、ＮＲＤＹフラグを内蔵するデータ管理情報部と、
前記ＯＰＣサーバにエラーが発生したときに全ての前記ＮＲＤＹフラグをセットし、
前記ＯＰＣサーバを経由して正常にデータを読み込んだときに、そのデータに対応するＮＲＤＹフラグをリセットするデータ管理情報制御部と、
前記データキャッシュに格納されたデータを読み出すときに、その読み出すデータに対応する前記ＮＲＤＹフラグがセットされているとNot-Readyコードを出力し、前記ＮＲＤＹフラグがリセットされていると前記データキャッシュから読み出したデータを出力する読み出し部と、
を有することを特徴とするエラー情報処理装置。
【請求項６】
ＯＰＣサーバ管理情報部を有し、前記ＯＰＣサーバにエラーが発生したときに、このエラーのエラーコードを前記ＯＰＣサーバ管理情報部に保存するようにしたことを特徴とする請求項５記載のエラー情報処理装置。
【請求項７】
ＯＰＣサーバを経由して読み込んだデータをデータキャッシュに格納する過程で発生するエラーを処理するエラー情報処理装置において、
前記データキャッシュに格納されるデータに対応して設けられ、エラー通達フラグ、正常復帰ペンディングフラグ、ＮＲＤＹフラグを内蔵し、エラーコードが格納されるデータ管理情報部と、
前記データキャッシュからデータを読み出す制御ブロックと、
前記ＯＰＣサーバに読み込みエラーが発生したときに前記エラー通達フラグをセットして前記データ管理情報部に前記読み込みエラーのエラーコードを格納し、
前記ＯＰＣサーバがデータを正常に読み込み、かつ前記エラー通達フラグがセットされていたときに前記正常復帰ペンディングフラグをセットし、
前記制御ブロックが前記データキャッシュからデータを読み込んだときに、前記エラー通達フラグと前記正常復帰ペンディングフラグをリセットして、前記エラーコードをクリアし、
前記ＯＰＣサーバ自体にエラーが発生すると、全ての前記ＮＲＤＹフラグをセットし、  前記ＯＰＣサーバを経由して正常にデータを読み込んだときに、そのデータに対応するＮＲＤＹフラグをリセットするデータ管理情報制御部と、
前記データキャッシュに格納されたデータを読み出すときに、その読み出すデータに対応する前記ＮＲＤＹフラグがセットされているとNot-Readyコードを出力し、前記ＮＲＤＹフラグがリセットされていると前記データキャッシュから読み出したデータを出力する読み出し部と、
を有することを特徴とするエラー情報処理装置。
【請求項８】
ＯＰＣサーバ管理情報部を有し、前記ＯＰＣサーバにエラーが発生したときに、このエラーのエラーコードを前記ＯＰＣサーバ管理情報部に保存するようにしたことを特徴とする請求項７記載のエラー情報処理装置。
【発明の詳細な説明】
【技術分野】
【０００１】
本発明は、エラー情報を確実に制御機能ブロックに伝達するエラー情報処理方法およびその装置に関し、特に汎用ＰＬＣ(Programmable Logic Controller)リンクステーションに用いて好適なエラー情報処理方法およびその装置に関するものである。
【背景技術】
【０００２】
図５にＶ−ｎｅｔ制御バスに接続され、通信先機器に対応したＯＰＣ(OLE for Process Control)サーバを経由してＰＬＣのデータを収集し、またＰＬＣに設定を行うための構成を示す。図５において、機器９に対応したＯＰＣサーバ８は機器９からデータを収集し、汎用ＰＬＣリンクステーション７内のデータキャッシュ７３にデータを格納する。このデータキャッシュ７３に格納されたデータは制御機能ブロック７１によって読み出される。
【０００３】
また、設定値などのデータは汎用ＰＬＣリンクステーション７内の書込部７２に入力される。この書込部７２に入力されたデータはＯＰＣサーバ８を経由して機器９に書き込まれる。
【０００４】
ＯＰＣサーバ８が機器９からデータを読み込む際に読み込みエラーが発生すると、ＯＰＣサーバ８はエラーが発生したこと示すエラー情報をデータキャッシュ７３に書き込む。制御機能ブロック７１はこのデータキャッシュ７３に格納されたエラー情報を読み込むことにより、エラーの発生を知る。
【発明の開示】
【発明が解決しようとする課題】
【０００５】
しかし、図５の構成には次のような課題があった。ＯＰＣサーバ８がエラー情報をデータキャッシュ７３に書き込んだ後、制御機能ブロック７１がそのエラー情報を読み出す前にＯＰＣサーバ８が再び同じデータを機器９から読み出し、正常に読み出せたとすると、エラー情報はこの正常なデータで上書きされてしまう。そのため、制御機能ブロック７１は一過性のエラー情報を読み出すことができない場合があるという課題があった。
【０００６】
また、ＯＰＣサーバ８に異常が発生し、その異常から復帰したときに制御機能ブロック７１がデータの読み出しを行うと、ＯＰＣサーバ８が正常復帰する前の値を正常値として読み込んでしまう可能性があるという課題もあった。
【０００７】
従って本発明が解決しようとする課題は、一過性のエラー情報をも確実に制御機能ブロックに伝達し、かつＯＰＣサーバが異常状態から復帰したときに、制御機能ブロックが間違ったデータを読み込んでしまうことがないエラー情報処理方法および装置を提供することにある。
【課題を解決するための手段】
【０００８】
このような課題を解決するために、本発明のうち請求項１記載の発明は、
ＯＰＣサーバを経由して読み込んだデータをデータキャッシュに格納する過程で発生するエラーを処理するエラー情報処理方法において、
読み込みエラーが発生するとエラー通達フラグをセットし、前記読み込みエラーのエラーコードを保存する第１の工程と、
読み込み時にエラーが発生せず、かつ前記エラー通達フラグがセットされているときに正常復帰ペンディングフラグをセットする第２の工程と、
制御ブロックが前記データキャッシュからデータを読み込むときに、前記エラー通達フラグおよび前記正常復帰ペンディングフラグをリセットし、前記保存されたエラーコードをクリアする第３の工程と、
を具備するようにしたものである。一過性のエラーも確実に伝達できる。
【０００９】
請求項２記載の発明は、
ＯＰＣサーバを経由して読み込んだデータをデータキャッシュに格納する過程で発生するエラーを処理するエラー情報処理方法において、
前記ＯＰＣサーバにエラーが発生したときに、前記データキャッシュに格納されるデータに対応する全てのＮＲＤＹフラグをセットする第１の工程と、
前記ＯＰＣサーバを経由して正常にデータを読み込んだときにときに、このデータに対応する前記ＮＲＤＹフラグをリセットする第２の工程と、
制御ブロックが前記データキャッシュからデータを読み出すときに、この読み出すデータに対応する前記ＮＲＤＹフラグがセットされているとNot-Readyコードを返し、前記ＮＲＤＹフラグがリセットされていると前記データキャッシュから読み出したデータの値を返す第３の工程と、
を具備したものである。ＯＰＣサーバが正常復帰する前のデータを誤って読み出すことがない。
【００１０】
請求項３記載の発明は、請求項２記載の発明において、
ＯＰＣサーバにエラーが発生したときに、そのエラーコードを保存するようにしたものである。エラーの原因を特定できる。
【００１１】
請求項４記載の発明は、
ＯＰＣサーバを経由して読み込んだデータをデータキャッシュに格納する過程で発生するエラーを処理するエラー情報処理装置において、
前記データキャッシュに格納されるデータに対応して設けられ、エラー通達フラグ、正常復帰ペンディングフラグを内蔵し、エラーコードが格納されるデータ管理情報部と、
前記データキャッシュからデータを読み出す制御ブロックと、
前記ＯＰＣサーバに読み込みエラーが発生したときに、前記エラー通達フラグをセットして前記データ管理情報部に前記読み込みエラーのエラーコードを格納し、
前記ＯＰＣサーバがデータを正常に読み込みかつ前記エラー通達フラグがセットされているときに、前記正常復帰ペンディングフラグをセットし、
前記制御ブロックが前記データキャッシュからデータを読み込んだときに、前記エラー通達フラグと前記正常復帰ペンディングフラグをリセットして、前記エラーコードをクリアするデータ管理情報制御部と、
を具備したものである。一過性のエラーも確実に伝達できる。
【００１２】
請求項５記載の発明は、
ＯＰＣサーバを経由して読み込んだデータをデータキャッシュに格納する過程で発生するエラーを処理するエラー情報処理装置において、
前記データキャッシュに格納されるデータに対応して設けられ、ＮＲＤＹフラグを内蔵するデータ管理情報部と、
前記ＯＰＣサーバにエラーが発生したときに全ての前記ＮＲＤＹフラグをセットし、
前記ＯＰＣサーバを経由して正常にデータを読み込んだときに、そのデータに対応するＮＲＤＹフラグをリセットするデータ管理情報制御部と、
前記データキャッシュに格納されたデータを読み出すときに、その読み出すデータに対応する前記ＮＲＤＹフラグがセットされているとNot-Readyコードを出力し、前記ＮＲＤＹフラグがリセットされていると前記データキャッシュから読み出したデータを出力する読み出し部と、
を具備したものである。ＯＰＣサーバが正常復帰する前のデータを誤って読み出すことがない。
【００１３】
請求項６記載の発明は、請求項５記載の発明において、
ＯＰＣサーバ管理情報部を有し、前記ＯＰＣサーバにエラーが発生したときに、そのエラーコードを前記ＯＰＣサーバ管理情報部に保存するようにしたものである。エラー原因を特定できる。
【００１４】
請求項７記載の発明は、
ＯＰＣサーバを経由して読み込んだデータをデータキャッシュに格納する過程で発生するエラーを処理するエラー情報処理装置において、
前記データキャッシュに格納されるデータに対応して設けられ、エラー通達フラグ、正常復帰ペンディングフラグ、ＮＲＤＹフラグを内蔵し、エラーコードが格納されるデータ管理情報部と、
前記データキャッシュからデータを読み出す制御ブロックと、
前記ＯＰＣサーバに読み込みエラーが発生したときに前記エラー通達フラグをセットして前記データ管理情報部に前記読み込みエラーのエラーコードを格納し、
前記ＯＰＣサーバがデータを正常に読み込み、かつ前記エラー通達フラグがセットされていたときに前記正常復帰ペンディングフラグをセットし、
前記制御ブロックが前記データキャッシュからデータを読み込んだときに、前記エラー通達フラグと前記正常復帰ペンディングフラグをリセットして、前記エラーコードをクリアし、
前記ＯＰＣサーバ自体にエラーが発生すると、全ての前記ＮＲＤＹフラグをセットし、
前記ＯＰＣサーバを経由して正常にデータを読み込んだときに、そのデータに対応するＮＲＤＹフラグをリセットするデータ管理情報制御部と、
前記データキャッシュに格納されたデータを読み出すときに、その読み出すデータに対応する前記ＮＲＤＹフラグがセットされているとNot-Readyコードを出力し、前記ＮＲＤＹフラグがリセットされていると前記データキャッシュから読み出したデータを出力する読み出し部と、
を具備したものである。一過性のエラーも確実に伝達でき、かつＯＰＣサーバが正常復帰する前のデータを誤って読み出すことがない。
【００１５】
請求項８記載の発明は、請求項７記載の発明において、
ＯＰＣサーバ管理情報部を有し、前記ＯＰＣサーバにエラーが発生したときに、そのエラーコードを前記ＯＰＣサーバ管理情報部に保存するようにしたものである。エラー原因を特定できる。
【発明の効果】
【００１６】
以上説明したことから明らかなように、本発明によれば次のような効果がある。
請求項１および請求項４記載の発明によれば、ＯＰＣサーバの読み込みエラーが発生するとエラー通達フラグをセットしてエラーコードを保存し、正常に読み出せ、かつエラー通達フラグがセットされていると正常復帰ペンディングフラグをセットして、制御ブロックがこのデータを読み出したときにエラー通達フラグと正常復帰ペンディングフラグをリセットして、エラーコードをクリアするようにした。
【００１７】
制御ブロックがデータを読み出すまでエラーが発生したことを示すフラグとエラーコードを保存しておくことにより、制御ブロックがエラー情報を読みとれなくなることがなくなる。そのため、一過性のエラーをも確実に制御ブロックに伝達することができるという効果がある。
【００１８】
請求項２、３、５および請求項６記載の発明によれば、ＯＰＣサーバ自体にエラーが発生したときにそのＯＰＣサーバに関連する全てのデータに対応するＮＲＤＹフラグをセットし、ＯＰＣサーバが正常復帰した後に読み出したデータに対応するＮＲＤＹフラグをリセットするようにした。また、データキャッシュ内のデータを読み出すときに、そのデータに対応するＮＲＤＹフラグがセットされていると、Not-Readyコードを返すようにした。
【００１９】
ＯＰＣサーバが正常復帰した後、データを読み出したときにＮＲＤＹフラグをリセットし、ＮＲＤＹフラグがセットされているとNot-Readyコードを返すようにしたので、制御ブロックがデータキャッシュ内のデータを読み出すときに、正常復帰する前の誤ったデータを使用してしまうことがなくなるという効果がある。
【００２０】
さらに、ＯＰＣサーバのエラーコードを保存することにより、エラーの発生原因を簡単に特定することが出来るという効果もある。
【００２１】
請求項７および請求項８記載の発明によれば、制御ブロックがデータキャッシュ内のデータを読み出すまで読み出しエラーが発生したことを示すフラグを保存しておき、かつＯＰＣサーバに異常が発生したときに全てのＮＲＤＹフラグをセットし、正常にデータを読み出したときに、対応するＮＲＤＹフラグのみをリセットするようにした。
【００２２】
制御ブロックがデータキャッシュからデータを読み出すまで読み出しエラーが発生したことを示すフラグを保存しておくので、制御ブロックは一過性のデータをも確実に読みとることができるという効果がある。また、ＯＰＣサーバが正常復帰した後に読み出したデータを他のデータと区別することができるので、正常復帰する前のデータを誤って使用することがなくなるという効果もある。
【００２３】
さらに、ＯＰＣサーバのエラーコードを保存することにより、エラーの発生原因を簡単に特定することが出来るという効果もある。
【発明を実施するための最良の形態】
【００２４】
以下本発明を図面を用いて詳細に説明する。図１は本発明の一実施例を示す構成図である。この実施例は一過性のエラーをも正しく読み込むことができるものである。なお、図５と同じ要素には同一符号を付し、説明を省略する。
【００２５】
図１において、１はデータ管理情報であり、データキャッシュ７３の各データに対応して配置される。１１はこのデータ管理情報内に配置されたエラー通達フラグ、１２は同じく正常復帰ペンディングフラグ、１３は同じくエラーコードである。２はデータ管理情報１の内容を変更する等の制御するデータ管理情報制御部である。
【００２６】
ＯＰＣサーバ８が機器９のデータを読み込むときに読み込みエラーが発生すると、データキャッシュ７３にエラーコードが書き込まれると共に、エラー通達フラグ１１はセットされ、そのときのエラーコードがエラーコード１３にセットされる。
【００２７】
次に、ＯＰＣサーバ８が機器９の同じデータを読み込み、正常に読み出せたとする。このとき、読み出したデータはデータキャッシュ７３に格納される。また、エラー通達フラグ１１がセットされていると、正常復帰ペンディングフラグ１２をセットする。
【００２８】
制御機能ブロック７１がデータキャッシュ７３内のデータを読み込むと、対応するデータ管理情報１内のエラー通達フラグ１１、正常復帰ペンディングフラグ１２はリセットされ、かつエラーコード１３はクリアされる。
【００２９】
図２に、図１の動作を表したフローチャートを示す。図２において、（２−１）でＯＰＣサーバ８が機器９からデータを読み込む。このとき、（２−２）で読み込みエラーが発生したかを調べて、発生していれば（２−３）でエラーコードをデータ管理情報１に書き込み、かつ（２−４）でエラー通達フラグ１１をセットする。
【００３０】
（２−２）で読み込みエラーの発生がないと、（２−５）で読み込んだデータをデータキャッシュ７３に保存する。そして、（２−６）でエラー通達フラグ１１がセットされているかをチェックし、セットされていると（２−７）で正常復帰ペンディングフラグ１２をセットする。
【００３１】
また、（２−８）で制御機能ブロック７３がデータ管理情報１に対応するデータを読み込んだかを調べて、読み込んでいたら（２−９）でエラーコード１３をクリアし，（２−１０）、（２−１１）で正常復帰ペンディングフラグ１２およびエラー通達フラグ１１をリセットする。
【００３２】
このようにすることにより、読み込みエラーが発生するとエラー通達フラグ１１がセットされてエラーフラグがデータ管理情報１にセットされる。また、引き続く読み出しが正常に行われると正常復帰ペンディングフラグ１２がセットされる。この状態は制御機能ブロック７１がデータを読み出すまで保持されるので、一過性のエラーであっても制御機能ブロック７１はこのエラー情報を確実に読み出すことができる。
【００３３】
図３は本発明の他の実施例を示す構成図である。この実施例はＯＰＣサーバが異常状態から復帰したときに、復帰前のデータを誤って読み込まないようにしたものである。なお、図５と同じ要素には同一符号を付し、説明を省略する。
【００３４】
図３において、３はデータ管理情報であり、データキャッシュ７３の各データに対応して設けられている。３１はデータ管理情報２内に配置されたＮＲＤＹフラグである。４はＯＰＣサーバ管理情報であり、ＯＰＣサーバ８のエラー情報が格納される。５はライブラリ関数であり、データキャッシュ７３とＯＰＣサーバ管理情報４にデータを書き込み、またＮＲＤＹフラグ２１の状態を変化させる。６はＯＰＣクライアントである。
【００３５】
ＯＰＣクライアント６が正常にＯＰＣサーバ８にデータをアップロードすると、ライブラリ関数５はこのデータをデータキャッシュ７３に書き込み、ＮＲＤＹフラグ３１をリセットする。
【００３６】
ＯＰＣクライアント６がＯＰＣサーバ８のエラーを検出すると、ライブラリ関数５はＮＲＤＹフラグ２１をセットし、ＯＰＣサーバ８のエラーコードをＯＰＣサーバ管理情報４に書き込む。また、ＯＰＣクライアント６がＯＰＣサーバ８の正常復帰を確認すると、ライブラリ関数５はＯＰＣサーバ管理情報４のエラーコードをクリアする。
【００３７】
さらに、制御機能ブロック７１がデータキャッシュ７３に格納されたデータを読み込むときに、ライブラリ関数５はＮＲＤＹフラグ３１がセットされているとNot-Readyコードを返し、ＮＲＤＹフラグ３１がリセットされているとデータキャッシュ７３に格納されているデータを返す。ライブラリ関数５はデータ管理情報制御部と読み出し部を構成している。
【００３８】
図４は、図３の動作を表したフローチャートである。図４（Ａ）はＯＰＣサーバ８に異常が発生したときの動作、同図（Ｂ）は制御機能ブロック７１がデータキャッシュ７３に格納されたデータを読み出すときの動作を表したものである。
【００３９】
図４（Ａ）において、（Ａ−１）でＯＰＣサーバ８に異常が発生すると、（Ａ−２）でそのＯＰＣサーバ８から取得するデータに対応するＮＲＤＹフラグ３１の全てをセットする。そして、（Ａ−３）でＯＰＣサーバのエラーコードをＯＰＣサーバ管理情報４にセットする。
【００４０】
次に（Ａ−４）でＯＰＣサーバ８が正常復帰したかをチェックして、正常復帰すると（Ａ−５）でＯＰＣサーバ管理情報４にセットしたエラーコードをクリアする。そして、（Ａ−６）で機器９からデータを読み込んでデータキャッシュ７３に格納したかをチェックして、格納したらそのデータに対応するＮＲＤＹフラグ３１をクリアする動作を繰り返す。全てのＮＲＤＹフラグ３１がクリアされると終了する。すなわち、正常に読み出せると、ＮＲＤＹフラグ３１をリセットするようにする。
【００４１】
また、同図（Ｂ）において、（Ｂ−１）で制御機能ブロック７１がデータキャッシュ７３に格納されたデータをリードすると、（Ｂ−２）でリードするデータに対応するＮＲＤＹフラグ３１がセットされているかをチェックする。セットされているとNot-Readyコードを返し、クリアされているとデータキャッシュ７３に格納されたデータを返す。
【００４２】
制御機能ブロック７１は、Not-Readyコードを読み込むとそのデータを捨てる。このようにすることにより、制御機能ブロック７１は正常復帰した後に機器９から読み込んだデータのみ使用することができ、正常復帰する前のデータを誤って使用することがなくなる。
【００４３】
なお、図１のデータ管理情報２と図３のデータ管理情報３は１つに統合してもよい。また、図１と図３の機能の両方を持たせるようにしてもよい。
【図面の簡単な説明】
【００４４】
【図１】本発明の一実施例を示す構成図である。
【図２】本発明の一実施例の動作を示すフローチャートである。
【図３】本発明の他の実施例を示す構成図である。
【図４】本発明の他の実施例の動作を示すフローチャートである。
【図５】従来の、ＯＰＣサーバを経由して機器からデータを読み込むための構成図である。
【符号の説明】
【００４５】
１，３  データ管理情報
１１  エラー通達フラグ
１２  正常復帰ペンディングフラグ
１３  エラーコード
２  データ管理情報制御部
３１  ＮＲＤＹフラグ
４  ＯＰＣサーバ管理情報
５  ライブラリ関数
６  ＯＰＣクライアント
７１  制御機能ブロック
７３  データキャッシュ
８  ＯＰＣサーバ
９  機器
【図１】
2005208699.tif 000003
【図２】
2005208699.tif 000004
【図３】
2005208699.tif 000005
【図４】
2005208699.tif 000006
【図５】
2005208699.tif 000007